(57)【要約】【課題】効率的に流体を加熱することができる流体加熱装置を提供することにある。【解決手段】発熱抵抗体を埋設した筒状のセラミックス体を、該セラミックス体の内周面と外周面を同時に覆うような二重の有底筒状体に挿入し、両者の間に粉体を介在させるとともに、該有底筒状体の内面側及び外面側の両方に流体を通過させるようにした流体加熱装置である。【選択図】図６
2005114352.tif 000002
【特許請求の範囲】
【請求項１】
発熱抵抗体を埋設した筒状のセラミックス体を、該セラミックス体の内周面と外周面を同時に覆うような二重の有底筒状体に挿入し、両者の間に粉体を介在させるとともに、該有底筒状体の内面側及び外面側の両方に流体を通過させるようにしたことを特徴とする流体加熱装置。
【請求項２】
上記発熱抵抗体と有底状筒状体との間に絶縁粉体を介在させてなり、上記セラミックス体にクラックが生じた時の発熱抵抗体と有底状筒状体間の室温での抵抗値が１０４Ω以上であることを特徴とする請求項１に記載の流体加熱装置。
【発明の詳細な説明】
【技術分野】
【０００１】
本発明は、金属製の有底筒状体にセラミックヒータを挿入してなるセラミックシーズヒータを用いた液体加熱装置に関する。
【背景技術】
【０００２】
従来より、セラミックス体中に発熱抵抗体を埋設したセラミックヒータがさまざまな分野で使用されている。そして、浴槽用温水器等の液体加熱用のヒータとして用いる場合は、上記セラミックヒータを直接水の中に入れて、加熱することが行われている。
【０００３】
しかし、セラミックヒータの途中までしか水がないような場合、水の無い部分が異常発熱してクラックが生じたり、あるいは水垢等の付着により発熱が不均一となってヒートショックによりクラックが生じやすかった。あるいは、アルカリ溶液中等に浸漬した場合は、セラミックスが浸食される恐れもあった。
【０００４】
このように、クラックや浸食が生じると発熱抵抗体が剥き出しとなって漏電や感電事故を起こすという問題があった。
【０００５】
そこで、上記セラミックヒータを金属製の有底筒状体で覆うようにしたセラミックシーズヒータが用いられている。これは、例えば特許文献１、特許文献２等に示すように、セラミックス体中に発熱抵抗体を埋設してなる棒状のセラミックヒータを、金属製の有底筒状体中に挿入し、両者の間に粉体を充填したものである。
【０００６】
このような構造とすることによって、セラミックヒータが直接水と触れることを防止し、クラックの発生を防ぐことができる。
【０００７】
また、セラミックヒータと金属製有底筒状体との間に充填する粉体としては、熱伝導性を高くするために金属粉末を用いることが一般的である。
【特許文献１】特開昭５７−１５１１８７号公報
【特許文献２】特開昭６０−１２７６８９号公報
【発明の開示】
【発明が解決しようとする課題】
【０００８】
ところが、上記のようなセラミックシーズヒータであっても、使用条件等によっては、発熱抵抗体を埋設したセラミックス体にクラックが生じることがある。このような場合、発熱抵抗体に印加した電流が、粉体と有底筒状体を通じて水中に流れ、漏電や感電の恐れがあるという問題があった。
【０００９】
即ち、従来のセラミックシーズヒータにおいては、セラミックヒータ自体が絶縁性が高いため、有底筒状体との間に介在させる粉体としては、金属粉末等の絶縁性の低い粉体を用いている。そのため、万一セラミックヒータにクラックが生じたような場合は、電流の漏れを防止する効果が乏しいものであった。
【００１０】
また、従来のセラミックシーズヒータでは、セラミックヒータと有底筒状体の間に充填した粉体の密度が低く、熱伝達が悪いという問題もあった。さらに、繰り返し使用時に、有底筒状体中でのセラミックヒータの位置がずれやすいという問題もあった。
【課題を解決するための手段】
【００１１】
そこで、請求項１の発明は、発熱抵抗体を埋設した筒状のセラミックス体を、該セラミックス体の内周面及び外周面を同時に覆うような二重の有底筒状体に挿入し、両者の間に粉体を介在させるともに、上記有底筒状体の内面側及び外面側の両方に流体を通過させて流体加熱装置を構成したことを特徴とする。
【００１２】
即ち、セラミックシーズヒータ自体を筒状に形成し、その内面側と外面側の両方に流体を通過させることによって、効率的に流体を加熱できるようにしたものである。
【発明の効果】
【００１３】
本発明によれば、発熱抵抗体を埋設した筒状のセラミックス体を、該セラミックス体の内周面及び外周面を覆うような二重の有底筒状体で覆い、両者の間に粉体を介在させるとともに、上記有底筒状体の内面側及び外面側の両方に流体を通過させるようにして流体加熱装置を構成したことによって、効率的に流体を加熱することができる。
【００１４】
従って、本発明によれば、熱効率に優れるとともに、漏電や感電を防止できる安全性の高いセラミックシーズヒータを得ることができ、浴槽用温水器等の流体加熱装置として好適に使用することができる。
【発明を実施するための最良の形態】
【００１５】
以下、発明を説明するのに参考例を図によって説明する。
【００１６】
図１、２に示すように、セラミックシーズヒータは、円柱状のセラミックヒータ１を金属製の有底筒状体３に挿入し、両者の間に絶縁粉体２を介在させ、セラミックヒータ１の後端部は金属製のカバー４を配置して、有底筒状体３の後端部でかしめて構成したものである。上記セラミックヒータ１は、円柱状のセラミックス体１１中に発熱抵抗体１２を埋設し、該発熱抵抗体１２の後端部をリード線１３に接続したものであり、リード線１３間に通電することによって、発熱抵抗体１２を発熱させることができるようになっている。
【００１７】
このセラミックシーズヒータを浴槽用温水器等の水加熱用に使用する場合は、有底筒状体３部分を水中に浸漬し、リード線１３に通電することによってセラミックヒータ１を発熱させ、この熱を伝えることによって水を加熱することができる。この時、セラミックス体１１が直接水に触れることがないため、クラック等の発生を防止することができる。
【００１８】
このようなセラミックシーズヒータにおいて、絶縁粉体２は、セラミックヒータ１と有底筒状体３間の緩衝材を成すとともに、熱を伝達する作用を成す。しかし、本発明で最も大切な点は、万一セラミックス体１１にクラック等が生じたような場合でも、発熱抵抗体１２の電流が有底筒状体３に流れることを防止できるように、絶縁粉体２に充分な絶縁性を持たせていることである。
【００１９】
具体的には、セラミックス体１１にクラックが生じた場合でも、発熱抵抗体１２と有底筒状体３との間の室温での抵抗値Ｒが１０４Ω以上となるようにしておけば良い。これは、家庭用電圧１００Ｖを印加した時に、上記抵抗値Ｒを１０４Ω以上としておけば、万一漏れ電流が生じても１０ｍＡ以下となり、人体に悪影響を及ぼさないレベルとできるためである。
【００２０】
好ましくは漏れ電流は０．５ｍＡ以下が良く、そのためにはセラミックス体１１にクラックが生じた場合でも、発熱抵抗体１２と有底筒状体３との間の室温での抵抗値Ｒを２×１０５Ω以上としておけば良い。
【００２１】
なお、上記抵抗値Ｒを測定する場合は、予めセラミックシーズヒータに規定以上の電圧を印加してセラミックス体１にクラックを発生させ、この状態で発熱抵抗体１２と有底筒状体３間の抵抗値Ｒを室温で測定すれば良い。
【００２２】
このような絶縁粉体２としては、窒化ホウ素（ＢＮ）、窒化珪素（Ｓｉ３Ｎ４）、窒化アルミニウム（ＡｌＮ）、炭化珪素（ＳｉＣ）の一種以上を用いる。これらは、表１に示すように、いずれも体積固有抵抗が大きく、絶縁性を高くすることができる。
【００２３】
同時に、絶縁粉体２は伝熱性を良くする必要があるが、これらの材質は表１に示すように熱伝導率が０．０６ｃａｌ／ｃｍ・ｓｅｃ・℃以上と高いことから、セラミックヒータ１に生じる熱を効率的に有底筒状体３に伝えることができる。
【００２４】
これらの絶縁粉体２は平均粒径０．５〜１０μｍのものを用い、充填した際の厚みｔ２は１ｍｍ以下とすることが好ましい。これは、厚みｔ２が１ｍｍを超えると熱伝導性が低くなるためである。また、充填率は５０％以上となるように高密度に充填することによって熱伝導性を向上できる。
【００２５】
さらに、絶縁粉体２に対し、シリコンオイル等の耐熱性、絶縁性が良好な液体を含浸することによって、さらに熱伝導性を高くすることもできる。
【表１】
2005114352.tif 000003
【００２６】
一方、有底筒状体３は、熱伝導性の良好な銅やアルミニウム等の金属材を用いるが、必要に応じてステンレスや他の鉄系合金を用いることもできる。また、この有底筒状体３の厚みｔ１は、熱効率を高くするために、１ｍｍ以下とすることが好ましい。
【００２７】
さらに、セラミックヒータ１を成すセラミックス体１１としてはアルミナ、窒化珪素等のセラミックスを用い、発熱抵抗体１２としては、Ｗ，Ｍｏ，Ｍｎ等の高融点金属やＴｉＣ，ＴｉＮ，ＷＣ等の金属化合物を用いる。そして、上記円柱状のセラミックヒータ１を作製する場合は、例えばセラミックスのシート状成形体に上記発熱抵抗体１２を成す材質をペースト状として所定パターンに塗布し、このシート状成形体を別の円柱状成形体の周囲を覆うように重ね合わせ、全体を焼成一体化することによって得ることができる。
【００２８】
なお、図では円柱状のセラミックヒータ１と円筒状の有底筒状体３を示したが、これに限らず、角柱状や板状等さまざまな形状とできることは言うまでもない。また、本発明のセラミックシーズヒータは、特に浴槽用温水器等の液体加熱用に敵しているが、その他のさまざまな用途にも好適に用いることができる。
【００２９】
次に、他の参考例を説明する。
【００３０】
図３に示すセラミックシーズヒータは、基本的に前述した参考の実施形態と同様であるが、セラミックヒータ１と有底筒状体２との接合構造に特徴がある。
【００３１】
即ち、有底筒状体２の開口部には、筒状のフランジ部材２０を接合してあり、このフランジ部材２０の有底筒状体２と反対側端部において、セラミックヒータ１とフランジ部材２０の間に押圧部材２１を配置してある。
【００３２】
この押圧部材２１は、内径がセラミックヒータ１の外径とほぼ一致する円筒状体であり、先端外周にネジ部２１ａを備え、一方、フランジ部２０側の内径にもネジ部２０ａを備えている。そして、押圧部材２１をこのネジ部２０ａに螺着することによって、絶縁粉体２を押圧し、充填密度を高めることができる。
【００３３】
また、押圧部材２１の後端側には切り欠き２１ｂを形成し、この部分に接着剤２２を充填してセラミックヒータ１と接合してある。この時、接合力を高めるために、セラミックヒータ１側のセラミックス体１１の表面に凹部１４を形成しておけばより好適である。例えば、セラミックヒータ１を作製する際に最外周のセラミックグリーンシートに孔を形成しておいて積層し、図４に示すように、表面に凹部１４を形成することもできる。この場合、凹部１４は、直径０．５ｍｍ以上、深さ０．１ｍｍ以上とすることが好ましく、接着材２２として、エポキシ樹脂、シリコン樹脂、又は，無機接着剤を用いる。
【００３４】
このように、押圧部材２１を備えたことによって、絶縁粉体２の充填密度を高めて熱伝導率を向上できるとともに、有底筒状体２に対してセラミックヒータ１を強固に位置決めできるため、使用中にセラミックヒータ１の位置がずれることを防止できる。
【００３５】
また、上記参考例では押圧部材２１を螺着する構造を示したが、螺着以外でも、絶縁粉体２を押圧できるような接合構造であれば良い。
【００３６】
さらに、フランジ部材２０には外周面側にもネジ部２０ｂを備えており、他部材との接合を容易にしてある。なお、この実施形態では有底筒状体２とフランジ部材２０を別体として接合したが、両者を一体形成することもできる。
【００３７】
また、上記セラミックヒータ１や有底筒状体２の材質は図１、２の実施形態と同様であり、フランジ部材２０、押圧部材２１は、有底筒状体２と同様にステンレス、銅、黄銅、チタン等の金属で形成する。さらに、絶縁粉体３の材質は、図１、２の実施形態に示した窒化ホウ素（ＢＮ）、窒化珪素（Ｓｉ3 Ｎ4 ）、窒化アルミニウム（ＡｌＮ）、炭化珪素（ＳｉＣ）に限らず、Ａｌ２Ｏ３、ＭｇＯを用いることもでき、また絶縁粉体の代わりにＣｕ、Ａｌ等の金属粉末を用いることもできる。また、接着剤２２としては、エポキシ系、シリコン系等の樹脂、ガラス、無機接着剤等を用いる。
【００３８】
次に、セラミックシーズヒータを用いた流体加熱装置を説明する。
【００３９】
図５に示す流体加熱装置は、セラミックヒータ１を絶縁粉体２を介して金属製の有底筒状体３に挿入し、この有底筒状体３と金属外管３０とを接合して構成される。また、この金属外管３０には、入水ホース３１と吐水ホース３２を接合してあり、セラミックヒータ１に通電し、加熱しながら、入水ホース３１より水等の流体を供給すれば、加熱されて吐水ホース３２より外部へ送り出すことができる。
【００４０】
このとき、セラミックヒータ１は有底筒状体３で覆われているため、流体が接触しない。そのため、ヒートショックによるクラックの発生や、水垢の付着を防止できる。
【００４１】
なお、図２では有底筒状体３の開口部をパッキン３３で塞いだが、図３に示すような押圧部材を備えれば、より好適である。
【００４２】
次に、本発明の実施形態を説明する。
【００４３】
図６に示す流体加熱装置は、セラミックヒータ１を成すセラミックス体１１を筒状に形成し、このセラミックス体１１の外周面と内周面の両方を、絶縁粉体２を介して二重の有底筒状体３で覆い、この有底筒状体３と金属外管３０を接合してある。また、上記有底筒状体３のうち、セラミックス体１１の内周面を覆う内管３ａはセラミックヒータ１の後端まで導出して、入水パイプ３１と接合し、吐水パイプ３２は金属外管３０に備えてある。
【００４４】
いま、セラミックヒータ１に通電し、加熱しながら、入水ホース３１より水等の流体を供給すれば、内管３ａを通過する際にセラミックヒータ１の内面で加熱され、金属外管３０を通過する際にセラミックヒータ１の外面で加熱されることになり、効率的に加熱することができる。
【実施例】
【００４５】
参考例１
本発明の実施例の参考として、図１、２に示すセラミックシーズヒータを作製した。
【００４６】
アルミナセラミックスからなるセラミックス体１１に、Ｗからなる発熱抵抗体１２を埋設し、直径１０ｍｍ、長さ１２０ｍｍの円柱状セラミックヒータ１を作製した。一方、ステンレスからなり、外径１１．５ｍｍ、内径１０．５ｍｍ、長さ１２２ｍｍの有底筒状体３中に上記セラミックヒータ１を挿入して、両者が接触しないように保持する。これらの隙間に窒化ホウ素又は炭化珪素からなる絶縁粉体２を充填し、有底筒状体３を振動させて絶縁粉体２の充填密度を高くする。最後に、セラミックヒータ１のリード線１３に絶縁パイプ（不図示）を備え、後端部に金属製のカバー４を配置して、有底筒状体３の後端部でかしめて固定した。
【００４７】
なお、絶縁粉体２を充填する場合は、以下のようにすることもできる。即ち、有底筒状体３とセラミックヒータ１との隙間に、絶縁粉体２を分散剤を併用して溶媒中に分散させたスラリーを充填し、その後加熱して溶媒を蒸発させることもできる。
【００４８】
以上のように、本参考例として、絶縁粉体２が窒化ホウ素又は炭化珪素からなり、その充填時の厚みｔ2 が０．２５ｍｍのセラミックシーズヒータを得た。
【００４９】
一方、本参考例の比較例として、絶縁粉体２の代わりに金属（銅）粉末を充填し、他は全て上記実施例と同様にしてシーズヒータを作製した。
【００５０】
これら、本発明実施例と比較例について、１００Ｖの電圧を印加して水加熱用に用いた場合の加熱効率を比較した後、それぞれ規定値以上の電圧を印加して意識的にセラミックヒータ１にクラックを発生させた。この時の、発熱抵抗体１３と有底筒状体３間の抵抗値Ｒと、使用時に水中に発生する漏れ電流を測定した。
【００５１】
結果は表２に示す通りである。この結果より、比較例ではクラックが生じた時の発熱抵抗体１３と有底筒状体３間の抵抗値が低く、水中に１０ｍＡを超える漏れ電流が流れたため、感電等の恐れがあった。
【００５２】
これに対し、本参考例では、クラックが生じても発熱抵抗体１３と有底筒状体３間の抵抗値Ｒが１０４Ωを超えているため、水中の漏れ電流を１０ｍＡ以下とすることができ、感電の恐れはなかった。また、絶縁粉体２が充分な熱伝導性を有するため、水を良好に加熱することができた。
【表２】
2005114352.tif 000004
【００５３】
実施例１
次に、本発明の実施例として、図６に示す流体加熱装置を試作した。外径８ｍｍ、全長１２０ｍｍ、発熱部長さ８５ｍｍのアルミナ製セラミックヒータ１を、外径１２ｍｍ、内径１０ｍｍの有底筒状体３に挿入した。この装置に、３リットルの水を流し、２５℃から４５℃まで５分間で昇温させた。
【００５４】
この時の平均電力は９０６．１Ｗで、熱効率９２．４％であった。なお、比較例として有底筒状体３を備えない装置についても同様の測定を行ったところ、平均電力９０２．２Ｗで熱効率９２．８％であった。この結果より、本発明の流体加熱装置は、有底筒状体３を備えていても、従来例と同様に優れた熱効率を示すことがわかる。
【図面の簡単な説明】
【００５５】
【図１】本発明の参考例を示すセラミックシーズヒータの縦断面図である。
【図２】図１中のＸ−Ｘ線断面図である。
【図３】本発明の参考例を示すセラミックシーズヒータを示す縦断面図である。
【図４】図３に示すセラミックヒータの部分側面図である。
【図５】本発明の参考例を示すセラミックシーズヒータを用いた流体加熱装置の断面図である。
【図６】本発明のセラミックシーズヒータを用いた流体加熱装置の断面図である。
【符号の説明】
【００５６】
１：セラミックヒータ
１１：セラミックス体
１２：発熱抵抗体
１３：リード線
１４：凹部
２：絶縁粉体
３：有底筒状体
４：カバー
２０：フランジ部材
２１：押圧部材
２２：接着剤
３０：金属外管
【図１】
2005114352.tif 000005
【図２】
2005114352.tif 000006
【図３】
2005114352.tif 000007
【図４】
2005114352.tif 000008
【図５】
2005114352.tif 000009
【図６】
2005114352.tif 000010